(57)【要約】【課題】筐体内のスペースに余裕がない場合でも、イグナイタ等の電装部品をアクセスしやすい位置に配置することができ、配線作業や状態確認等が容易に行える給湯器を提供する。【解決手段】給湯器１は、燃焼装置８を収容して前面２ａを開口する筐体２と、その筐体２の開口２ａを閉塞するカバーとを備え、筐体２における開口２ａ側に、開口２ａと平行な支持部材２３が設けられていると共に、支持部材２３の開口２ａ側の面に、所定の電装部品（イグナイタ３０及びモニタ基板３４）が設置されている。【選択図】図２
2018179435.tif 000002
【特許請求の範囲】
【請求項１】
燃焼装置を収容して所定の面を開口する筐体と、その筐体の前記開口を閉塞するカバーとを備えてなる給湯器であって、
前記筐体における前記開口側に、前記開口と平行な支持部材が設けられていると共に、前記支持部材の前記開口側の面に、所定の電装部品が設置されていることを特徴とする給湯器。
【請求項２】
前記支持部材は、前記燃焼装置に設けられたバーナのノズル台と前記筐体との間に架設されていることを特徴とする請求項１に記載の給湯器。
【請求項３】
前記電装部品は、少なくともイグナイタを含むことを特徴とする請求項１又は２に記載の給湯器。
【発明の詳細な説明】
【技術分野】
【０００１】
本発明は、燃焼装置等を収容して内部の通水を加熱して出湯する給湯器に関する。
【背景技術】
【０００２】
給湯器は、例えば特許文献１に開示されるように、バーナ及びバーナに接続されるガス配管、比例弁やイグナイタ、フレームロッド、熱交換器、熱交換器に接続される給水管及び出湯管等を備えている。
これらの燃焼装置や配管、電装部品等は、例えば前面を開口させた筐体に収容されて、前面はフロントカバーによって閉塞されている。
【先行技術文献】
【特許文献】
【０００３】
【特許文献１】特開２０１４−２５６６４号公報
【発明の概要】
【発明が解決しようとする課題】
【０００４】
イグナイタ等の電装部品は、配線作業や状態確認等のため、筐体内でアクセスしやすい位置に設置するのが望ましい。しかし、筐体の小型化により、燃焼装置や配管等によって筐体内のスペースの大部分が占有されてしまい、電装部品をアクセスしやすい位置に設置できないことがあった。
【０００５】
そこで、本発明は、筐体内のスペースに余裕がない場合でも、イグナイタ等の電装部品をアクセスしやすい位置に配置することができ、配線作業や状態確認等が容易に行える給湯器を提供することを目的としたものである。
【課題を解決するための手段】
【０００６】
上記目的を達成するために、請求項１に記載の発明は、燃焼装置を収容して所定の面を開口する筐体と、その筐体の開口を閉塞するカバーとを備えてなる給湯器であって、
筐体における開口側に、当該開口と平行な支持部材が設けられていると共に、支持部材の開口側の面に、所定の電装部品が設置されていることを特徴とする。
請求項２に記載の発明は、請求項１の構成において、支持部材は、燃焼装置に設けられたバーナのノズル台と筐体との間に架設されていることを特徴とする。
請求項３に記載の発明は、請求項１又は２の構成において、電装部品は、少なくともイグナイタを含むことを特徴とする。
【発明の効果】
【０００７】
請求項１に記載の発明によれば、筐体における開口側に、当該開口と平行な支持部材を設けて、支持部材の開口側の面に所定の電装部品を設置したことで、筐体内のスペースに余裕がない場合でも、イグナイタ等の電装部品をアクセスしやすい位置に配置することができる。よって、電装部品の配線作業や状態確認等を容易に行うことができる。
請求項２に記載の発明によれば、請求項１の効果に加えて、支持部材をノズル台と筐体との間に架設したことで、バーナに近い位置で配線作業等をより容易に行うことができる。
請求項３に記載の発明によれば、請求項１又は２の効果に加えて、電装部品を少なくともイグナイタとしたことで、イグナイタを最適な位置に設置することができる。
【図面の簡単な説明】
【０００８】
【図１】給湯器の斜視図である。
【図２】フロントカバーを取り外した筐体の斜視図である。
【図３】支持部材の架設部分の拡大斜視図である。
【図４】フロントカバーを取り外した筐体の側面図である。
【発明を実施するための形態】
【０００９】
以下、本発明の実施の形態を図面に基づいて説明する。
図１は、給湯器の一例を示す斜視図、図２はフロントカバーを取り外した筐体の斜視図である。
給湯器１は、前面に開口２ａを形成して天板３及び底板４、左右の側板５，５、背板６からなる縦長箱状の筐体２と、筐体２の前面を閉塞するフロントカバー７とを備えている。筐体２内には、バーナを有する燃焼部９、熱交換器を有する熱交換部１０、排気部１１を含む燃焼装置８等の構成部品が収容されて、開口２ａの四辺には、フロントカバー７の取付用のフランジ部１２，１２・・が外側へ折り返し形成されている。上下のフランジ部１２，１２には、フロントカバー７の取付用のネジ孔１３，１３が形成されている。１４，１４は、背板６の上下に取り付けられた設置用金具である。
【００１０】
フロントカバー７は、正面視が筐体２と略同形の縦長矩形状で、筐体２のフランジ部１２，１２・・を含む前面に嵌合する外周部１５と、外周部１５の内側から全体的に前方へ膨出する正面視縦長矩形状の膨出部１６とを備えて前後に厚みを有する形状となっている。膨出部１６の前面上側には、排気部１１の前面に設けた横長の排気口１１ａが嵌合する長孔１７が形成され、前面下側と側方とには、吸気孔１８，１８・・が形成されている。
また、膨出部１６の下部には、筐体２の内部に設けたモニタ３７（後述）を視認するための窓１９が開口形成され、窓１９の裏側周囲には図示しないシール材が貼着されている。
【００１１】
一方、燃焼部９は、手前側に、バーナへの燃料ガスを供給するための複数のノズルを有する金属製のノズル台２０を備え、ノズル台２０の下方で筐体２内には、燃焼部９へ燃焼用空気を供給するためのファン２１や、電装基板を備えたコントローラ２２等が設置されている。ノズル台２０に接続されるガス管や、熱交換部１０に接続される配管は、ノズル台２０の下方で底板４を介して外部の配管に接続されている。
【００１２】
そして、ノズル台２０と底板４との間には、支持部材２３が架設されている。この支持部材２３は、図３にも示すように、上下方向に伸びる帯状の金属板で、上側に、筐体２の開口２ａよりもやや奥側へ後退する上側支持部２４と、開口２ａと略面一となる下側支持部２５とが、前後に段差を有した格好で形成されている。上側支持部２４の上端には、ノズル台２０の前面にネジ止めされると共に、当該前面に突設された突起２０ａに係合する係合凹部２７を備えた上取付片２６が折曲形成されている。一方、下側支持部２５の下端には、底板４における下側のフランジ部１２の折り曲げ辺に係止する段差状の係止部２８ａを有してフランジ部１２に沿って垂下する下係止片２８が折曲形成されている。下係止片２８には、ネジ孔１３に干渉しない切欠部２９が形成されている。
【００１３】
支持部材２３のうち、上側支持部２４の前面には、電装部品としてのイグナイタ３０が取り付けられている。ここでは上側支持部２４に、受け片３１が前向きに切り起こし形成されており、その受け片３１にイグナイタ３０を横向きに載置した状態で、上部に設けたネジ止め片３２を上側支持部２４にねじ込むことで、イグナイタ３０が固定されている。イグナイタ３０の下方で上側支持部２４の前面には、上側支持部２４の前側で配線を固定するためのケーブルクリップ３３が設けられている。
【００１４】
また、下側支持部２５の前面には、電装部品としてのモニタ基板３４が取り付けられている。このモニタ基板３４は、前面を開口するケース３５内に、７セグメント表示器からなるモニタ３７等の電子部品を搭載した基板３６を収容してなり、ケース３５の上部に設けたネジ止め片３８を下側支持部２５にねじ込むことで、モニタ基板３４が固定されている。このモニタ基板３４は、コントローラ２２の指示を受けてエラーコード等の器具の状態をモニタ３７に表示させるもので、モニタ３７は、フロントカバー７の窓１９の位置に対応して配置されている。
【００１５】
以上の如く構成された給湯器１においては、燃焼装置８等の構成部品を筐体２内に収容した後、イグナイタ３０及びモニタ基板３４を取り付けた支持部材２３を、ノズル台２０と底板４との間に架設して、上取付片２６を、突起２０ａに係合凹部２７を係合させた状態でノズル台２０にネジ止めする。すると、上取付片２６が固定された支持部材２３がノズル台２０から下方へ垂れ下がる格好となり、下係止片２８の係止部２８ａが底板４に係止してフランジ部１２の手前に位置する。よって、ノズル台２０やコントローラ２２への配線作業等が容易に行える。
【００１６】
その後、フロントカバー７を筐体２の前面に被せてフランジ部１２，１２にネジ止めすれば、フロントカバー７と下側のフランジ部１２との間で下係止片２８が挟持され、支持部材２３は筐体２内で開口２ａと平行に固定される。ノズル台２０及び支持部材２３は導電性を有する金属製であるので、同じ金属製の筐体２を介してアースは確保できる。
こうしてフロントカバー７が固定されると、モニタ基板３４のモニタ３７がフロントカバー７の窓１９に裏側から密着する。よって、窓１９を介してモニタ３７を外部から視認することができる。
一方、イグナイタ３０やモニタ基板３４のメンテナンスや状態確認を行う際には、フロントカバー７を取り外せば、図４に示すように、イグナイタ３０及びモニタ基板３４が筐体２の開口２ａより前方へ突出する位置で露出しているため、メンテナンス作業や状態確認を容易に行うことができる。
【００１７】
このように、上記形態の給湯器１によれば、筐体２における開口２ａ側に、開口２ａと平行な支持部材２３が設けられていると共に、支持部材２３の開口２ａ側の面に、所定の電装部品（ここではイグナイタ３０及びモニタ基板３４）が設置されているので、筐体２内のスペースに余裕がない場合でも、イグナイタ３０等の電装部品をアクセスしやすい位置に配置することができる。よって、電装部品の配線作業や状態確認等を容易に行うことができる。
【００１８】
特にここでは、支持部材２３は、燃焼装置８に設けられたバーナのノズル台２０と筐体２との間に架設されているので、バーナに近い位置で配線作業等をより容易に行うことができる。
また、電装部品は、少なくともイグナイタ３０を含んでいるので、イグナイタ３０を最適な位置に設置することができる。
【００１９】
上記形態では、支持部材を上下方向に架設しているが、筐体内のスペースによっては左右方向や斜め方向であっても差し支えない。よって、ノズル台と底板との間の架設に限らず、左右の側板間や側板と底板との間に架設させることもできる。支持部材の固定もネジ止め以外の手段も採用でき、ネジ止めを行わず凹凸等の位置決めを行った上でフロントカバーと筐体との間で両端を挟持することも考えられる。また、架設に限らず、支持部材は筐体又は燃焼装置等によって片持ち支持させてもよい。
【００２０】
支持部材自体の形状も、上側支持部と下側支持部との段差は逆であってもよいし、段差を有する帯板状に限らず、平板状としたり、側板と底板とのコーナー部に架設される三角形状としたり、棒状としたり等、適宜変更可能である。
さらに、電装部品もイグナイタやモニタ基板に限らず、コントローラの電装基板の一部を分割して設けたり等、上記形態に限定されない。勿論電装部品は３つ以上を支持部材に設置することもできるし、電装部品毎に複数の支持部材を設けることもできる。
【００２１】
そして、上記形態では、筐体の前面に形成される開口に支持部材を設ける構成としているが、開口は筐体の前面に限らず、筐体の側面等の他の面であっても支持部材は設置できるし、カバーも取り外しでなくヒンジで連結される構造等であっても本発明は採用可能である。
【符号の説明】
【００２２】
１・・給湯器、２・・筐体、２ａ・・開口、４・・底板、７・・フロントカバー、８・・燃焼装置、９・・燃焼部、１２・・フランジ部、１３・・ネジ孔、１９・・窓、２０・・ノズル台、２０ａ・・突起、２１・・ファン、２２・・コントローラ、２３・・支持部材、２４・・上側支持部、２５・・下側支持部、２６・・上取付片、２８・・下係止片、３０・・イグナイタ、３１・・受け片、３２，３８・・ネジ止め片、３４・・モニタ基板、３７・・モニタ。
【図１】
2018179435.tif 000003
【図２】
2018179435.tif 000004
【図３】
2018179435.tif 000005
【図４】
2018179435.tif 000006